(57)【要約】【課題】長期間使用しても給水具から水が漏出することがない給水具、及び家畜が無駄なく水を飲み、衛生面をも改善できるようにした給水器を提供する。【解決手段】上側筒状部材２、下側筒状部材３、給水案内部材４、棒状作用部材５とから給水具１を構成する。下側筒状部材３の下端部に、流通孔部３ｂからの移行部を曲面状とし、中間部を下方に向かって漸次拡径させた水流案内凹部３ｃを形成する。給水案内部材４の上端部に、略球面状とした逆流発生凹部４ｂを形成する。組み立て時に、水流案内凹部３の曲面状を呈する移行部が略球面状を呈する逆流発生凹部４ｂと対向させ、水流案内凹部３の内壁面と給水案内部材４の上端面及び周側面との間に、所定間隙が存在するようにする。給水器２１において、枠体２３の底壁部２３ｃを前方に向かって下方傾斜させる。【選択図】              図３
2004337060.tif 000002
【特許請求の範囲】
【請求項１】
中央部に軸方向に流通孔部を穿設し、上端部及び下端部に螺子部を螺刻してなる上側筒状部材と、中央部に軸方向に嵌合孔部、流通孔部を穿設し、下端部に水流案内凹部を形成し、上端部に螺子部を螺刻してなる下側筒状部材と、中央部に軸方向に挿通孔部を穿設し、上端部に逆流発生凹部を形成してなる給水案内部材と、上側部に弁体部を形成し、中間部を棒状部とし、下端部に螺子部を螺刻してなる棒状作用部材とから構成され、前記下側筒状部材に形成された水流案内凹部は、流通孔部からの移行部を曲面状とし、中間部を下方に向かって漸次拡径させてあり、前記給水案内部材に形成された逆流発生凹部は、略球面状としてあり、組み立て時に、前記下側筒状部材の水流案内凹部内に前記給水案内部材の上端部が位置するようにして、水流案内凹部の曲面状を呈する移行部が略球面状を呈する逆流発生凹部と対向するようにし、前記下側筒状部材の水流案内凹部の内壁面と前記給水案内部材の上端面及び周側面との間には、常時、所定間隙が存在するようにしたことを特徴とする給水具。
【請求項２】
請求項１に記載の家畜用給水具と、上壁部に挿通孔を穿設し、底壁部は後壁部から前方に向かって下方傾斜させてなる枠体と、前記枠体の上壁部に形成された挿通孔に挿通し、下端部に前記給水具を取り付けてなる給水配管とから構成されることを特徴とする給水器。
【発明の詳細な説明】
【０００１】
【発明の属する技術分野】
本発明は、豚、牛、鶏等の家畜に水を与えるのに好適な家畜用給水具及びそれを取り付けた家畜用給水器に関する。
【０００２】
【従来の技術】
豚、牛、鶏等の家畜に水を与えるための給水具として、従来、図７に示すように、上側筒状部材１０２、下側筒状部材１０３、給水案内部材１０４、棒状作用部材１０５から構成される給水具１０１が知られている（例えば、特許文献１参照。）。
【０００３】
【特許文献１】
実開平７−３９４０２号公報
【０００４】
上側筒状部材１０２は、中央部に軸方向に大径嵌合孔部１０２ａ、小径流通孔部１０２ｂ及び大径流通孔部１０２ｃを穿設し、上端部には雌螺子部１０２ｄ、下端部には雄螺子部１０２ｅを螺刻してある。
下側筒状部材１０３は、中央部に軸方向に大径嵌合孔部１０３ａ、小径流通孔部１０３ｂ及び大径流通孔部１０３ｃを穿設し、上端部には雌螺子部１０３ｄを螺刻してある。
給水案内部材１０４は、中央部に軸方向に挿通孔部１０４ａを、挿通孔部１０４ａ周囲に軸方向に４つの流通孔部１０４ｂを穿設してある。
棒状作用部材１０５は、上側部に弁体部１０５ａを形成し、中間部を棒状部１０５ｂとし、下端部に雄螺子部１０５ｃを螺刻してある。
【０００５】
下側筒状部材１０３の大径嵌合孔部１０３ａの底壁面にパッキン１０６を載置し、下側筒状部材１０３の小径流通孔部１０３ｂ及び大径流通孔部１０３ｃに棒状作用部材１０５の棒状部１０５ｂを挿通する。そして、棒状作用部材１０５の弁体部１０５ａの下面をパッキン１０６の上面に当接させ、弁体部１０５ａの上面に圧縮バネ１０７を載置する。
その後、上側筒状部材１０２の雄螺子部１０２ｅと下側筒状部材１０３の雌螺子部１０３ｄとを螺合し、上側筒状部材１０２と下側筒状部材１０３とを連結すれば、上側筒状部材１０２の下端面はパッキン１０６の上面に当接し、圧縮バネ１０７の上端は上側筒状部材１０２の大径流通孔部１０２ｃの上壁面に当接し、常時、弁体部１０５ａはパッキン１０６に押圧された状態となる。
【０００６】
さらに、吊下された棒状作用部材１０５の棒状部１０５ｂを給水案内部材１０４の挿通孔部１０４ａに挿通させ、棒状作用部材１０５の雄螺子部１０５ｃにナット１０８を螺合させれば、給水案内部材１０４は棒状作用部材１０５に連結される。
そして、上側筒状部材１０２の雌螺子部１０２ｄと給水配管１２２の下端部に螺刻された雄螺子部１２２ａとを螺合させれば、上側筒状部材１０２は給水配管１２２に連結され、給水具１０１は給水配管１２２に取り付けられる。
【０００７】
上記給水具１０１は、豚等の家畜が鼻、口等によって棒状作用部材１０５又は給水案内部材１０４を押圧すれば、図８に示すように、棒状作用部材１０５及び給水案内部材１０４は前後左右に揺動し、弁体部１０５ａは圧縮バネ１０７による弾圧力に抗して移動し、パッキン１０６から全部又は一部離反する。
そのため、給水配管１２２を流通してきた水は、上側筒状部材１０２の大径嵌合孔部１０２ａ、小径流通孔部１０２ｂ、大径流通孔部１０２ｃを流通し、弁体部１０５ａとパッキン１０６との間隙を通過し、下側筒状部材１０３の小径流通孔部１０３ｂ、大径流通孔部１０３ｃを流通し、給水案内部材１０４の流通孔部１０４ｂを流通して、給水具１０１の下端から流出する。これによって、家畜は給水具１０１の下端から流出する水を飲むことができるようになっている。
【０００８】
又、上記給水具１０１は、図１０に示すように、上記給水配管１２２と枠体１２３とによって、給水器１２１を構成するようになっている。
【０００９】
枠体１２３は、上壁部１２３ａ、側壁部１２３ｂ、底壁部１２３ｃ及び後壁部１２３ｄから成り、上壁部１２３ａには挿通孔１２４を穿設してあるとともに、底壁部１２３ｃは後壁部１２３ｄに向かって下方傾斜させてある。
そして、上壁部１２３ａの挿通孔１２４に給水配管１２２を挿通させ、給水配管１２２の下端部に給水具１０１を取り付けて、給水具１０１を枠体１２３内の側壁部１２３ｂ近傍に配置してある。
尚、給水配管１２２の下端部をＵボルト１２５で包囲し、そのＵボルト１２５を側壁部１２３ｂに固定することによって、給水配管１２２の大きな揺動を防止するようにしてある。
【００１０】
【発明が解決しようとする課題】
ところが、豚等の家畜に与える水としては、一般に、自家製井戸から汲み上げた水を使用している畜産農家が多く、井戸水には砂、異物、不純物等が相当量含まれている。そのため、上記給水具１０１に異物除去網を付設して、砂、異物等を除去することが行われているが、砂、異物等によって短期間のうちに異物除去網が目詰まりを起生し、給水具１０１から水が供給されなくなってしまう。そうすると、家畜の成育に多大な影響を及ぼすことになるから、結局のところ、異物除去網を付設することなく、給水具１０１を使用している畜産農家が多い。
【００１１】
かかる事情から、上記給水具１０１では、数ヶ月も使用すると、弁体部１０５ａの下面、パッキン１０６の上面に砂、異物等が付着し、弁体部１０５ａとパッキン１０６との間に常時微小な間隙が存在することとなり、その常時存在する微小な間隙から水が通過し、給水具１０１の下端から水が漏出することとなる。そして、このような水の漏出が酷くなると、家畜による飲水量よりも漏水量の方が多くなってしまう場合もある。
通常、豚等の家畜の糞尿及び汚水も、上記の如く発生する漏水も、汚水処理施設まで送られて一緒に処理されることになっている。そのため、給水具１０１から常時水が漏出することとなると、汚水処理に要する費用は、漏水分を含めて莫大なものとなってしまう。
このような問題点を解消するには、定期的に給水具１０１を分解して、弁体部１０５ａの下面、パッキン１０６の上面を清掃して、砂、異物等を除去するしか方法がなかった。しかし、家畜の飼育場内には極めて多数の給水具１０１が設置されているから、清掃作業に要する労力、費用は計り知れないものがあった。
【００１２】
又、上記給水具１０１は、後壁部１２３ｄに向かって下方傾斜させてある底壁部１２３ｃを有する枠体１２３に配置してあるから、底壁部１２３ｃに給水具１０１から零れたり、漏出した水が溜まって腐敗したり、底壁部１２３ｃに糞、尿等が入り込んだりして、豚等の家畜が水を飲まなくなるとともに、衛生面にも問題があった。
【００１３】
本発明は、かかる従来の問題点に鑑みて為されたものであり、長期間使用しても給水具から水が漏出することがなく、汚水処理に要する費用も大幅に削減できるとともに、給水具の清掃作業に要する労力、費用をも大幅に削減できるようにした給水具を提供することを目的とする。
【００１４】
又、給水器の底壁部に上記給水具から零れたり、漏出した水が溜まって腐敗したり、底壁部に糞、尿等が入り込んだりすることを防止して、豚等の家畜が無駄なく水を飲み、衛生面をも改善できるようにした給水器を提供することを目的とする。
【００１５】
【課題を解決するための手段】
上記目的を達成するため、本発明は、中央部に軸方向に流通孔部を穿設し、上端部及び下端部に螺子部を螺刻してなる上側筒状部材と、中央部に軸方向に嵌合孔部、流通孔部を穿設し、下端部に水流案内凹部を形成し、上端部に螺子部を螺刻してなる下側筒状部材と、中央部に軸方向に挿通孔部を穿設し、上端部に逆流発生凹部を形成してなる給水案内部材と、上側部に弁体部を形成し、中間部を棒状部とし、下端部に螺子部を螺刻してなる棒状作用部材とから給水具を構成し、前記下側筒状部材に形成された水流案内凹部は、流通孔部からの移行部を曲面状とし、中間部を下方に向かって漸次拡径させてあり、前記給水案内部材に形成された逆流発生凹部は、略球面状としてあり、組み立て時に、前記下側筒状部材の水流案内凹部内に前記給水案内部材の上端部が位置するようにして、水流案内凹部の曲面状を呈する移行部が略球面状を呈する逆流発生凹部と対向するようにし、前記下側筒状部材の水流案内凹部の内壁面と前記給水案内部材の上端面及び周側面との間には、常時、所定間隙が存在するようにしたことを特徴とする。
【００１６】
本発明は、又、上記給水具と、上壁部に挿通孔を穿設し、底壁部は後壁部から前方に向かって下方傾斜させてなる枠体と、前記枠体の上壁部に形成された挿通孔に挿通し、下端部に前記給水具を取り付けてなる給水配管とから給水器を構成したことを特徴とする給水器。
【００１７】
【発明の実施の形態】
以下、本発明の給水具及び給水器の好適な実施形態について、図面を参照して詳細に説明する。
【００１８】
本発明の給水具１は、図１に示すように、上側筒状部材２、下側筒状部材３、給水案内部材４、棒状作用部材５から構成される。
【００１９】
上側筒状部材２は、中央部に軸方向に大径嵌合孔部２ａ、小径流通孔部２ｂ及び大径流通孔部２ｃを穿設し、上端部には雌螺子部２ｄ、下端部には雄螺子部２ｅを螺刻してある。
下側筒状部材３は、中央部に軸方向に大径嵌合孔部３ａ、流通孔部３ｂを穿設し、下端部に水流案内凹部３ｃを形成し、上端部には雌螺子部３ｄを螺刻してある。
給水案内部材４は、中央部に軸方向に挿通孔部４ａを穿設し、上端部に逆流発生凹部４ｂを形成してある。
棒状作用部材５は、上側部に弁体部５ａを形成し、中間部を棒状部５ｂとし、下端部に雄螺子部５ｃを螺刻してある。
【００２０】
本発明の給水具１が従来の給水具１０１と相違する点は、下側筒状部材３及び給水案内部材４の構造にある。
【００２１】
すなわち、下側筒状部材３の下端部に水流案内凹部３ｃを形成してあり、この水流案内凹部３ｃは、流通孔部３ｂからの移行部を曲面状とし、中間部を下方に向かって漸次拡径させてある。
又、給水案内部材４の上端部に逆流発生凹部４ｂを形成してあり、この逆流発生凹部４ｂは略球面状としてある。
【００２２】
下側筒状部材３の大径嵌合孔部３ａの底壁面にパッキン６を載置し、下側筒状部材３の流通孔部３ｂに棒状作用部材５の棒状部５ｂを挿通する。そして、棒状作用部材５の弁体部５ａの下面をパッキン６の上面に当接させ、弁体部５ａの上面に圧縮バネ７を載置する。
その後、上側筒状部材２の雄螺子部２ｅと下側筒状部材３の雌螺子部３ｄとを螺合し、上側筒状部材２と下側筒状部材３とを連結すれば、上側筒状部材２の下端面はパッキン６の上面に当接し、圧縮バネ７の上端は上側筒状部材２の大径流通孔部２ｃの上壁面に当接し、常時、弁体部５ａはパッキン６に押圧された状態となる。
【００２３】
さらに、吊下された棒状作用部材５の棒状部５ｂを給水案内部材４の挿通孔部４ａに挿通させ、棒状作用部材５の雄螺子部５ｃにナット８を螺合させれば、給水案内部材４は棒状作用部材５に連結される。
そして、上側筒状部材２の雌螺子部２ｄと給水配管２２の下端部に螺刻された雄螺子部２２ａとを螺合させれば、上側筒状部材２は給水配管２２に連結され、給水具１は給水配管２２に取り付けられる。
【００２４】
給水具１を組み立てた時、下側筒状部材３の水流案内凹部３ｃ内に給水案内部材４の上端部が位置するようになっており、よって、水流案内凹部３ｃの曲面状を呈する移行部は、略球面状を呈する逆流発生凹部４ｂと対向するようになっている。
又、下側筒状部材３の水流案内凹部３ｃの内壁面と給水案内部材４の上端面及び周側面との間には、常時、所定間隙が存在するようになっている。
【００２５】
本発明の給水具１は、豚等の家畜が鼻、口等によって棒状作用部材５又は給水案内部材４を押圧すれば、図２に示すように、棒状作用部材５及び給水案内部材４は前後左右に揺動し、弁体部５ａは圧縮バネ７による弾圧力に抗して移動し、パッキン６から全部又は一部離反する。
そのため、給水配管２２を流通してきた水は、上側筒状部材２の大径嵌合孔部２ａ、小径流通孔部２ｂ、大径流通孔部２ｃを流通し、弁体部５ａとパッキン６との間隙を通過し、下側筒状部材３の流通孔部３ｂを流通し、水流案内凹部３ｃの内壁面に沿って流通し、給水案内部材４の上端面及び周側面との間隙から流出し、給水案内部材４の周側面に沿って下方に流下する。これによって、家畜は給水具１の下端から流出する水を飲むことができるようになっている。
【００２６】
又、本発明の給水具１は、豚等の家畜が鼻、口等によって棒状作用部材５又は給水案内部材４を上方に押圧すれば、図３に示すように、棒状作用部材５及び給水案内部材４は上方に移動し、下側筒状部材３の水流案内凹部３ｃの内壁面と給水案内部材４の上端面とが当接し、一時的に、所定間隙が消滅するとともに、弁体部５ａは圧縮バネ７による弾圧力に抗して移動し、パッキン６から全部又は一部離反する。
そのため、給水配管２２を流通し、下側筒状部材３の流通孔部３ｂを流通してきた水は、給水案内部材４の逆流発生凹部４ｂに流入するが、逆流発生凹部４ｂは略球面状を呈するため、流入してきた水が逆流発生凹部４ｂの内壁面に沿って上方に流動し、すなわち逆流し、さらに、下側筒状部材３の水流案内凹部３ｃの移行部は曲面状を呈するため、逆流した水が水流案内凹部３ｃの移行部の内壁面に沿って上方に流動し、弁体部５ａとパッキン６との間隙に到達する。これによって、弁体部５ａの下面、パッキン６の上面に付着した砂、異物等を洗浄し、除去することができる。
【００２７】
以上のように、本発明の給水具１によれば、豚等の家畜が水を飲む度に、鼻、口等により棒状作用部材５又は給水案内部材４を上方に押圧することによって、給水具１内に自動的に逆流が発生し、これによって、弁体部５ａの下面、パッキン６の上面に付着した砂、異物等が頻繁に洗浄、除去されるから、長期間に亘って使用しても、弁体部５ａとパッキン６との間に常時微小な間隙が存在することはなく、給水具１の下端から水が漏出することはない。
よって、定期的に給水具を分解して、弁体部の下面、パッキンの上面を清掃して、砂、異物等を除去する作業をする必要はないから、汚水処理に要する費用も大幅に削減することができるとともに、給水具の清掃作業に要する労力、費用をも大幅に削減することができる。
【００２８】
又、本発明の給水具１は、図６に示すように、上記給水配管２２と枠体２３とによって、給水器２１を構成するようになっている。
【００２９】
枠体２３は、上壁部２３ａ、側壁部２３ｂ、底壁部２３ｃ及び後壁部２３ｄから成り、上壁部２３ａには挿通孔２４を穿設してあるとともに、底壁部２３ｃは後壁部２３ｄから前方に向かって下方傾斜させてある。
そして、上壁部２３ａの挿通孔２４に給水配管２２を挿通させ、給水配管２２の下端部に給水具１を取り付けて、給水具１を枠体２３内の側壁部２３ｂ近傍に配置してある。
尚、給水配管２２の下端部をＵボルト２５で包囲し、そのＵボルト２５を側壁部２３ｂに固定することによって、給水配管２２の大きな揺動を防止するようにしてある。
【００３０】
本発明の給水器２１が従来の給水具１２１と相違する点は、枠体２３の底壁部２３ｃの形状にある。
すなわち、従来の給水具１２１と異なり、枠体２３の底壁部２３ｃは後壁部２３ｄから前方に向かって下方傾斜させてある。
【００３１】
このように、本発明の給水具１は、後壁部２３ｄから前方に向かって下方傾斜させてある底壁部２３ｃを有する枠体２３に配置してあるから、給水器２１の底壁部２３ｃに給水具１から零れたり、漏出した水が溜まって腐敗したり、底壁部２３ｃに糞、尿等が入り込んだりすることを防止でき、豚等の家畜が無駄なく水を飲み、衛生面をも改善することができる。
【００３２】
尚、本発明の給水具１において、給水案内部材４は、特にその材料を限定されるものではないが、黄銅、ステレンテス等の金属等、重量のある材料で製作すれば、ウェイト代わりとなり、弁体部５ａをパッキン６に常時押圧するため、必ずしも、圧縮バネ７を使用する必要はない。
【図面の簡単な説明】
【図１】本発明の給水具の縦断面図である。
【図２】図１に示す給水具において水を流出させた状態を説明する縦断面図である。
【図３】図１に示す給水具において逆流を発生させた状態を説明する縦断面図である。
【図４】図２におけるＡ部の拡大縦断面図である。
【図５】図３におけるＢ部の拡大縦断面図である。
【図６】本発明の給水器の外観斜視図である。
【図７】従来の給水具の縦断面図である。
【図８】図７に示す給水具において水を流出させた状態を説明する縦断面図である。
【図９】図８におけるＡ部の拡大縦断面図である。
【図１０】従来の給水器の外観斜視図である。
【符号の説明】
１  給水具
２  上側筒状部材
２ｂ  小径流通孔部
２ｃ  大径流通孔部
２ｄ  雌螺子部
２ｅ  雄螺子部
３  下側筒状部材
３ａ  大径嵌合孔部
３ｂ  流通孔部
３ｃ  水流案内凹部
３ｄ  雌螺子部
４  給水案内部材
４ａ  挿通孔部
４ｂ  逆流発生凹部
５  棒状作用部材
５ａ  弁体部
５ｂ  棒状部
５ｃ  雌螺子部
２１  給水器
２２  給水配管
２３  枠体
２３ａ  上壁部
２３ｃ  底壁部
２３ｄ  後壁部
【図１】
2004337060.tif 000003
【図２】
2004337060.tif 000004
【図３】
2004337060.tif 000005
【図４】
2004337060.tif 000006
【図５】
2004337060.tif 000007
【図６】
2004337060.tif 000008
【図７】
2004337060.tif 000009
【図８】
2004337060.tif 000010
【図９】
2004337060.tif 000011
【図１０】
2004337060.tif 000012